(57)【要約】【課題】ベース体とアクセサリ体とに分割構成し、タックピンに代表される取り付けピンを用いた装身具において、外郭形状の制約を特に受けることなく、簡易な構造でアクセサリ体の回り止めを実現する。【解決手段】取り付けピン４が突設されたアクセサリ体２と、取り付けピン４を貫通させる取り付け孔５が穿設されたベース体３と、貫通状態の取り付けピン４に着脱自在に係止して、取り付けピン４の貫通方向に関してアクセサリ体２をベース体３に固定する固定部材６と、を有する装身具１において、アクセサリ体２に、ベース体３に係止して取り付け孔５中心の回り止めを果たす位置決めピン９を突設した。【選択図】図３
0003140204.tif 000002
【実用新案登録請求の範囲】
【請求項１】
取り付けピンが突設されたアクセサリ体と、
前記取り付けピンを貫通させる取り付け孔が穿設されたベース体と、
貫通状態の前記取り付けピンに着脱自在に係止して、前記取り付けピンの貫通方向に関して前記アクセサリ体を前記ベース体に固定する固定部材と、
を有する装身具であって、
前記アクセサリ体には、前記ベース体に係止して、前記取り付け孔中心の回り止めを果たす位置決めピンが突設されていることを特徴とする装身具。
【請求項２】
前記位置決めピンは、前記ベース体の外郭面に当接することを特徴とする請求項１に記載の装身具。
【請求項３】
前記ベース体はリング状部材からなり、前記取り付け孔はリング孔と平行に穿設され、前記位置決めピンは、前記リング状部材の内周または外周に当接するように突設されていることを特徴とする請求項２に記載の装身具。
【請求項４】
前記アクセサリ体は、義歯固定用のインプラントからなることを特徴とする請求項１ないし請求項３のいずれかに記載の装身具。
【考案の詳細な説明】
【技術分野】
【０００１】
本考案は、指輪、グラスリング、ペンダント、ブローチ、ブレスレット等の装身具に関する。
【背景技術】
【０００２】
従来から指輪やブローチなどの装身具では、主な外郭をなすベース体と、宝飾部を有するアクセサリ体とに互いに着脱自在に分割構成して、両者の自由な組み合わせを可能としたものが知られており、その取り付け構造例が特許文献１に記載されている。また、装身具としてメガネホルダに適用した構造例としては、特許文献２、３が挙げられる。
【０００３】
特許文献１に記載の構造は、ベース体において板バネを固設したＴ字状のガイドレールを形成するとともに、アクセサリ体において前記ガイドレールに嵌合するＴ字状の取付溝を形成し、板バネの付勢力で両者を押圧保持するものである。しかし、この構造は嵌合形状部が複雑であるため、加工性が悪くなり製作コストが嵩みやすい。
【０００４】
これに対して特許文献２、３に記載の構造は、タックピン（特許文献２にあってはタックピン２、特許文献３にあっては装着部ピン４）とこのタックピンを固定する固定部材（特許文献２にあっては差込固定具７、特許文献３にあっては装着部受金具５）を用いており、これらの部材としては既成の汎用品を使用できるため、経済的な取り付け構造を提供できる。
【特許文献１】特開２００３−６１７１８号公報
【特許文献２】登録実用新案第３０２７０６７号公報
【特許文献３】実開平６−７６９２６号公報
【考案の開示】
【考案が解決しようとする課題】
【０００５】
タックピンを用いた構造の場合、アクセサリ体がこのタックピンを中心としてベース体に対して回転するおそれがある。放射状の花びらデザインや宝石単体など、中心周りに対称形状を呈したアクセサリ体であれば回転しても差し支えないこともあるが、非対称のデザインである場合にはアクセサリ体の回り止めを要する場合がある。特許文献３の図３、図５には、本体２（ベース体）の段差部に装身具１（アクセサリ体）の外郭縁を突き合わせた構造が記載されているが、この構造では両者の外郭形状に制約を受けやすい。
【０００６】
本考案は以上のような課題を解決するために創作されたものであり、ベース体とアクセサリ体とに分割構成し、タックピンに代表される取り付けピンを用いた装身具において、外郭形状の制約を特に受けることなく、簡易な構造でアクセサリ体の回り止めを実現することを目的としている。
【課題を解決するための手段】
【０００７】
前記課題を解決するため、本考案は、取り付けピンが突設されたアクセサリ体と、前記取り付けピンを貫通させる取り付け孔が穿設されたベース体と、貫通状態の前記取り付けピンに着脱自在に係止して、前記取り付けピンの貫通方向に関して前記アクセサリ体を前記ベース体に固定する固定部材と、を有する装身具であって、前記アクセサリ体には、前記ベース体に係止して、前記取り付け孔中心の回り止めを果たす位置決めピンが突設されていることを特徴とする装身具とした。
【０００８】
本考案によれば、位置決めピンが回り止め機能を果たすため、アクセサリ体の外郭形状に制約を受けない。
【０００９】
また、本考案は、前記位置決めピンは、前記ベース体の外郭面に当接することを特徴とする装身具とした。
【００１０】
本考案によれば、ベース体側には何ら位置決めピンの係止専用の係止部を設ける必要はなく、そのまま外郭面を係止部として利用できるので、加工工程が少なくなり経済的となる。
【００１１】
また、本考案は、前記ベース体はリング状部材からなり、前記取り付け孔はリング孔と平行に穿設され、前記位置決めピンは、前記リング状部材の内周または外周に当接するように突設されていることを特徴とする装身具とした。
【００１２】
本考案によれば、リング状のベース体に対して簡易な構造でアクセサリ体を取り付けることができる。
【００１３】
また、本考案は、前記アクセサリ体は、義歯固定用のインプラントからなることを特徴とする装身具とした。
【００１４】
本考案によれば、埋め込まれたインプラントと全く同じ型番のインプラントを装身具の一部とすることにより、その装身具を歯科医に見せるだけで、歯科医は埋め込まれたインプラントの情報が瞬時に判り、素早い対処が可能となる。
【考案の効果】
【００１５】
本考案によれば、装身具の製造コストの低減が図れ、外郭形状の制約を受けることもない。
【考案を実施するための最良の形態】
【００１６】
「第１実施形態」
図１ないし図３は第１実施形態に係る装身具の説明図であり、図１は正面図、図２は図１におけるＡ−Ａ断面図、図３は各構成部材を分離させた状態での斜視図である。
【００１７】
装身具１は、取り付けピン４が突設されたアクセサリ体２と、取り付けピン４を貫通させる取り付け孔５が穿設されたベース体３と、貫通状態の取り付けピン４に着脱自在に係止して、取り付けピン４の貫通方向に関してアクセサリ体２をベース体３に固定する固定部材６と、を有する。
【００１８】
ベース体３はリング状部材として構成されており、具体例としては指輪やブローチ等として装身されるグラスリングが挙げられ、そのリング本体には、リング孔と平行に前記した取り付け孔５が１箇所穿設されている。符号７は、金属製のリング本体に適宜に嵌め込まれた宝飾品・ガラスを示している。
【００１９】
図に示したアクセサリ体２は蝶をモチーフした外郭形状の平板状部材であり、表面側には適宜に紋様が模られたり、ガラスや宝石などの宝飾体８が嵌め込まれている。裏面側にはタックピンに代表される取り付けピン４が突設されており、取り付け孔５を貫通した取り付けピン４の先端に固定部材６を係止することで、取り付けピン４の貫通方向に関してアクセサリ体２をベース体３に固定する。固定部材６としてはタックピンの汎用品を用いることができ、ボタン６Ａを押すことで取り付けピン４から外れる構造のものである。タックピンの他に、これも汎用品であるバタフライピン等を用いても差し支えない。
【００２０】
本考案は、アクセサリ体２に、ベース体３に係止して取り付け孔５中心の回り止めを果たす位置決めピン９を突設したことを主な特徴とする。本実施形態では、位置決めピン９を、前記ベース体の外郭（面）に当接させており、具体的には位置決めピン９を一対のピン９Ａ、９Ｂとして設け、それぞれをベース体３のリングの内周（面）および外周（面）に当接させている。
【００２１】
位置決めピン９の成形態様の一例としては、アクセサリ体２が金属製の場合、位置決めピン９も金属製としてロウ付けによりアクセサリ体２の裏面に取り付ける。また、アクセサリ体２の成形時に位置決めピン９も一体に成形しても無論よい。
【００２２】
図１の例では、取り付けピン４（取り付け孔５）回りのアクセサリ体２の回転は、時計回りの回転についてはピン９Ａがベース体３の内周に当接係止することによって、反時計回りの回転についてはピン９Ｂがベース体３の外周に当接係止することによって規制される。場合によっては、ピン９Ａ、９Ｂの形成位置は、例えば両ピンともベース体３の外周に当接させてもよいし、両ピンともベース体３の内周に当接させてもよい。なお、位置決めピン９とベース体３の内周や外周との間には製造誤差等により若干の遊びが生ずるので、ベース体３に対するアクセサリ体２のガタツキを抑えるためには、位置決めピン９の位置は取り付けピン４から離れているほどよい。また、位置決めピン９の数は３個以上あってもよいし、後記するように１個でも足りる。
【００２３】
以上のように、ベース体３に係止して、取り付け孔５中心の回り止めを果たす位置決めピン９をアクセサリ体２に突設する構成とすれば、アクセサリ体２の外郭形状の制約を特に受けることなく、簡易な構造でアクセサリ体２の回り止めが実現される。
【００２４】
また、位置決めピン９をベース体３の外郭面に当接させる構成とすれば、ベース体３側には何ら位置決めピン９の係止専用の係止部を設ける必要はなく、そのまま外郭面を係止部として利用できるので、加工工程が少なく経済的である。
【００２５】
さらに、ベース体３がリング状部材からなる場合において、取り付け孔５をリング孔と平行に穿設し、位置決めピン９をリング状部材の内周または外周に当接するように突設すれば、リング状のベース体３に対して簡易な構造でアクセサリ体２を取り付けることができる。
【００２６】
「第２実施形態」
図４は第２実施形態に係る装身具の説明図であり、各構成部材を分離させた状態での斜視図である。第１実施形態と異なる点は、位置決めピン９の係止態様にあり、ベース体３に穿設した位置決め孔１０に位置決めピン９を挿入係止させる構造としたものである。
【００２７】
この構造によっても、アクセサリ体２の外郭形状の制約を特に受けることなくアクセサリ体２の回り止めが実現される。
【００２８】
「第３実施形態」
図５は第３実施形態に係る装身具の説明図であり、各構成部材を分離させた状態での斜視図である。本実施形態は、位置決めピン９を一つとして、バー形状のベース体３の一面に当接係止させる場合を示している。この場合、位置決めピン９を、取り付け孔５から最短距離にあるベース体３の外郭部に当接させることで、アクセサリ体２の時計回り、反時計回りの双方向の回転を規制する。
【００２９】
この構造によっても、アクセサリ体２の外郭形状の制約を特に受けることなくアクセサリ体２の回り止めが実現される。
【００３０】
「第４実施形態」
図６は第４実施形態に係る装身具の正面図である。本実施形態は、アクセサリ体２を義歯固定用のインプラント２１としたことを主な特徴とする。インプラントに関しては、現在のところごく限られたメーカーがそれぞれの規格で製造しているために統一性はあまりなく、例えば、埋め込まれたインプラントに不具合が起きて施術以外の歯科医を訪れた場合、その歯科医は埋め込まれているインプラントがどのメーカーのどの型番なのか容易には判別できず、素早い対処ができないという問題がある。インプラントの施術時に、埋め込んだインプラントに関する情報をカード等に記して患者に渡しておくなどの方法が考えられるが、例えば数十年後にインプラントに不具合が起きた場合などには、患者はその情報を記したカードの存在すら忘れてしまうということもあり得る。
【００３１】
これに対して、埋め込まれたインプラントと全く同じ型番のインプラントをベース体に着脱自在に取り付けた装身具とすることにより、装身具は実際に身につけるものであるから前記カードのように忘れてしまうこともなく、必要時には装身具のインプラントを歯科医に見せることで、歯科医は素早い対処が可能となる。また、必要に応じて、装身具に取り付けるインプラントには、レーザーライティング技術等を用いてそのインプラントの型番情報などを書き込んでおくこともできる。
【００３２】
本実施形態のベース体３は第１実施形態と同様にグラスリング等のリング状部材としている。インプラント２１は、例えば顎部と結合するねじ部を有し、人工歯根を構成するフィクスチャー２２と、義歯の支台を構成するアバットメント２３とを備えた公知のものである。なお、図６では固定部材６（図１）は図示していない。
【００３３】
図６において、（ａ）は１本のインプラント２１をベース体３のリングの径方向に沿って取り付けた場合、（ｂ）は１本のインプラント２１をベース体３のリングの接線方向に沿って取り付けた場合を示す。（ｃ）は複数のインプラント２１をベース体３のリングの径方向に沿って並設させた場合を示す。この（ｃ）の場合、インプラント２１を互いに当接させて回転規制させることにより、位置決めピン９の数を抑えることができる。
【００３４】
インプラント２１には取り付けピン４や位置決めピン９をロウ付け等により簡単に取り付けることができ、ベース体３に対する位置決め装着も容易である。図６では、いずれも取り付けピン４や位置決めピン９をフィクスチャー２２に形成しているが、アバットメント２３に形成しても構わない。また、位置決めピン９の数も適宜に設定して、ベース体３のリング本体の内周や外周に当接させるようにすればよい。
【００３５】
以上のように、アクセサリ体２を義歯固定用のインプラント２１とすれば、埋め込まれたインプラントと全く同じ型番のインプラント２１を装身具の一部とすることにより、その装身具を歯科医に見せるだけで、歯科医は埋め込まれたインプラントの情報が瞬時に判り、素早い対処が可能となる。たとえ、常日頃はインプラント２１ではなく別の宝飾されたアクセサリ体２をベース体３に装着している場合であっても、インプラント２１は交換用のアクセサリ体２として他のアクセサリ体２等と共に大事に保管されることが想定されるから、インプラント２１を紛失するおそれもさほどない。
【００３６】
以上、本考案について好適な実施形態を説明した。本考案は図面に記載したものに限られず、様々な設計変更が可能である。
【図面の簡単な説明】
【００３７】
【図１】第１実施形態に係る装身具の正面図である。
【図２】図１におけるＡ−Ａ断面図である。
【図３】第１実施形態に係る装身具の各構成部材を分離させた状態での斜視図である。
【図４】第２実施形態に係る装身具の各構成部材を分離させた状態での斜視図である。
【図５】第３実施形態に係る装身具の各構成部材を分離させた状態での斜視図である。
【図６】第４実施形態に係る装身具の正面図である。
【符号の説明】
【００３８】
１    装身具
２    アクセサリ体
３    ベース体
４    取り付けピン
５    取り付け孔
６    固定部材
９    位置決めピン
２１    インプラント
【図１】
0003140204.tif 000003
【図２】
0003140204.tif 000004
【図３】
0003140204.tif 000005
【図４】
0003140204.tif 000006
【図５】
0003140204.tif 000007
【図６】
0003140204.tif 000008